(57)【要約】【課題】  錠剤型物品を収納する容器であって、錠剤型物品をスムースに定量だけ取り出すことに適し、また、錠剤型物品を容器内に容易に入れることができる容器を提供する。【解決手段】  容器１０は、錠剤型物品５を収納するとともに開口２２を有する容器本体２０と、容器本体２０の開口周縁部２６に係合して容器本体２０に装着される中間連結体３０と、を備えている。中間連結体３０は、一側から他側に向けて延びるとともに下方に傾斜したスライド部３６を有している。スライド部３６の一側に第１貫通孔３８が設けられるとともに、他側に第２貫通孔３９が設けられている。【選択図】  図１
2006248566.tif 000002
【特許請求の範囲】
【請求項１】
錠剤型物品を収納するとともに開口を有する容器本体と、
容器本体の開口周縁部に係合して容器本体に装着される中間連結体と、を備え、
中間連結体は、一側から他側に向けて延びるとともに下方に傾斜したスライド部を有し、スライド部の一側に第１貫通孔が設けられるとともに他側に第２貫通孔が設けられていることを特徴とする容器。
【請求項２】
第１貫通孔は第２貫通孔より小形状となっていることを特徴とする請求項１に記載の容器。
【請求項３】
中間連結体は筒状の連結部をさらに有し、スライド部は連結部内に設けられていることを特徴とする請求項１または２に記載の容器。
【請求項４】
中間連結体の上方に設けられる蓋体をさらに備えたことを特徴とする請求項１乃至３のいずれかに記載の容器。
【請求項５】
蓋体と中間連結体とが一体に形成されていることを特徴とする請求項４に記載の容器。
【発明の詳細な説明】
【技術分野】
【０００１】
本発明は、錠剤型物品を収納する容器に係り、とりわけ錠剤型物品を定量だけ取り出すことに適した容器に関する。
【背景技術】
【０００２】
従来、医薬品や健康食品等の錠剤型物品を収納する容器として、錠剤型物品を収納し開口を有する容器本体と、容器本体に装着されて開口を塞ぐ蓋体と、を備えたものが広く普及している。
【０００３】
このような容器から錠剤型物品を取り出すには、まず蓋体を容器本体から取り外し、容器本体を手のひらに向けて傾斜させればよい。
【発明の開示】
【発明が解決しようとする課題】
【０００４】
しかしながら、容器本体の開口が大形状からなる場合、錠剤型物品を所望量だけ取り出すことは困難であり、錠剤型物品を取り出し過ぎてしまうことが頻繁に生ずる。そして、錠剤型物品を手のひらに取り出しすぎた場合には、余分な錠剤型物品を容器に戻す必要が生じる。
【０００５】
一方、容器本体の開口が小形状からなる場合、錠剤型物品が開口につまってしまい、錠剤型物品を取り出せなくなることがある。また、容器から錠剤型物品を取り出しすぎた場合には、小形状の開口を介して錠剤型物品を容器本体に戻すことが困難である。同様に、容器の使用に先だって大量の錠剤型物品を容器内に収納する際に、時間と手間が必要になるという不具合も生じる。
【０００６】
本発明はこのような点を考慮してなされたものであり、錠剤型物品を収納する容器であって、錠剤型物品をスムースに定量だけ取り出すことに適し、また、錠剤型物品を容器内に容易に入れることができる容器を提供することを目的とする。
【課題を解決するための手段】
【０００７】
本発明は、錠剤型物品を収納するとともに開口を有する容器本体と、容器本体の開口周縁部に係合して容器本体に装着される中間連結体と、を備え、中間連結体は、一側から他側に向けて延びるとともに下方に傾斜したスライド部を有し、スライド部の一側に第１貫通孔が設けられるとともに他側に第２貫通孔が設けられていることを特徴とする容器である。
【０００８】
本発明は、第１貫通孔は第２貫通孔より小形状となっていることを特徴とする容器である。
【０００９】
本発明は、中間連結体は筒状の連結部をさらに有し、スライド部は連結部内に設けられていることを特徴とする容器である。
【００１０】
本発明は、中間連結体の上方に設けられる蓋体をさらに備えたことを特徴とする容器である。
【００１１】
本発明は、蓋体と中間連結体とが一体に形成されていることを特徴とする容器である。
【発明の効果】
【００１２】
本発明によれば、容器から錠剤型物品をスムースに取り出すことができるとともに、錠剤型物品を多く取り出し過ぎた場合には容器内に錠剤型物品をスムースかつ容易に戻すことができる。また、大量の錠剤型物品を容器本体内に入れることも容易である。
【発明を実施するための最良の形態】
【００１３】
以下、図面を参照して本発明の実施の形態について説明する。
【００１４】
図１乃至図５は本発明による容器の一実施の形態を示す図である。
【００１５】
このうち図１は容器を示す分解斜視図であり、図２は容器を示す断面図であり、図３は容器を示す平面図である。
【００１６】
図１乃至図５に示すように、容器１０は、開口２２と錠剤型物品５を収納する収納部２４とを有する容器本体２０と、略円筒状の外形を有し、容器本体２０の開口周縁部２６に係合して容器本体２０に装着される中間連結体３０と、中間連結体３０の上方に設けられる蓋体１６と、を備えている。なお、図３においては、蓋体１６を取り外した状態の容器１０が示されている。
【００１７】
ここで錠剤型物品５とは錠剤（医薬品）に限定されず、球状、円柱状、ラグビーボール状等の錠剤としてありふれた形状を有する薬、健康食品、菓子等を含む概念である。
【００１８】
図１に示すように、容器本体２０の開口周縁部２６は、容器本体２０の収納部２４を画定する部分から突出した環状の凸部からなっている。また、中間連結体３０の下側端面には、容器本体２０の開口周縁部２６と嵌合する環状の嵌合凹部３２が形成されている（図２）。これらの開口周縁部２６と嵌合凹部３２とを嵌合させることにより、中間連結体３０を容器本体２０上に取り外し自在に装着固定することができるようになっている（図２）。
【００１９】
一方、図１に示すように、中間連結体３０の上側端面には環状切り欠き３４が形成されている。この環状切り欠き３４は、蓋体１６の周縁部１８と嵌合するようになっており、中間連結体３０の環状切り欠き３４と蓋体１６の周縁部１８とを嵌合させることにより、蓋体１６を中間連結体３０上に取り外し自在に装着固定することができるようになっている（図２）。
【００２０】
そして、図２に示すように、容器本体２０と中間連結体３０と蓋体１６とを連結することにより、容器本体２０の開口２２は中間連結体３０を介して蓋体１６により塞がれた状態となり、容器１０を錠剤型物品５の収納体として用いることができるようになる。なお、上述した開口周縁部２６、嵌合凹部３２、環状切り欠き３４、および周縁部１８を適切に設計することにより、容器１０の内部を外部雰囲気から遮断された密閉状態に保つこともできる。
【００２１】
次に、中間連結体３０についてさらに詳述する。
【００２２】
図２および図３に示すように、中間連結体３０は、略円筒状の外形を有する連結部３３と、この連結部３３内に設けられ、連結部３３の一側上端から他側下端まで延びる薄板状のスライド部３６と、を有している。スライド部３６は、一側端部および他側端部において連結部３３の端面と平行に延びるとともに、その間においては、一側から他側に向かうにつれて徐々に降下していくよう傾斜している。なお、本実施の形態における一側とは図２および図３における紙面の左側であり、他側とは図２および図３における紙面の右側であり、図２は一側と他側とを結ぶ方向に沿った容器１０の断面を示している。
【００２３】
スライド部３６の一側には第１貫通孔３８が設けられるとともに、他側には第２貫通孔３９が設けられている。図１からも明らかなように、スライド部３６は一側から他側に向けて下方に傾斜しているため、第１貫通孔３８は第２貫通孔３９に比べて上方に配置されている。本実施の形態においては、第１貫通孔３８および第２貫通孔３９の高さ方向位置は、容器本体２０に収納される錠剤型物品５の大きさよりも大きく離間するようになっている。また、図２に示すように、中間連結体３０に蓋体１６が装着された場合、第１貫通孔３８の周縁部が全周にわたって蓋体１６に当接するようになっている。
【００２４】
また、図３から明らかなように、第１貫通孔３８は第２貫通孔３９より小形状となっている。第１貫通孔３８の大きさは、収納される錠剤型物品５がスムースに通過することができる範囲内において最小限に設定することが好ましい。
【００２５】
図２に示すように、このようなスライド部３６は、中間連結体３０が容器本体２０に装着された場合に、開口２２上に配置されるようになる。したがって、スライド部３６は容器１０の開口２２を塞ぐようになっており、その一方で第１貫通孔３８および第２貫通孔３９は容器１０の収納部２４を外部に連通させている。
【００２６】
次にこのような構成からなる本実施の形態の作用について、図１乃至図５を用いて説明する。
【００２７】
まず、容器本体２０と中間連結体３０とが連結されていない状態で、錠剤型物品５を容器本体２０に開口２２を介して収納する。この際、図１乃至図３に示すように、容器本体２０の開口２２は大形状からなっているので、大量の錠剤型物品５を容器本体２０内に迅速かつ容易に収納することができる。
【００２８】
次に、容器本体２０の開口周縁部２６と中間連結体３０の嵌合凹部３２とを嵌合させることにより、容器本体２０上に開口２２を取り囲むよう中間連結体３０を装着することができる。また、容器本体２０への中間連結体３０の装着後あるいは装着前に、中間連結体３０の環状切り欠き３４に蓋体１６の周縁部１８を嵌合させることによって、蓋体１６を中間連結体３０上に装着する。これらの作業により、容器１０を錠剤型物品５の収納体として用いることができるようになる。
【００２９】
なお、上述したように、開口周縁部２６、嵌合凹部３２、環状切り欠き３４、および周縁部１８を適切に設計することにより、容器１０の収納部２４を外部雰囲気から遮断された密閉状態とすることができ、これにより、錠剤型物品５を適切な保管雰囲気中において保管すること、および適切な保管雰囲気で保管しながら錠剤型物品５を持ち運ぶこと等も可能となる。
【００３０】
上述したように、第１貫通孔３８の周縁部が全周にわたって蓋体１６に当接し、第１貫通孔３８および第２貫通孔３９は容器本体２０に収納される錠剤型物品５の大きさよりも大きく高さ方向に離間して配置されている。したがって、持ち運び等によって容器１０が揺らされたりしたとしても、第１貫通孔３８または第２貫通孔３９と、蓋体１６との間に錠剤型物品５が挟まったり、さらには挟まった錠剤型物品５を砕いてしまったりすることはない。また、容器１０の使用中に、第２貫通孔３９を介して蓋体１６とスライド部３６との間に錠剤型物品５が入り込んだとしても、一側上方から第２貫通孔３９へ向けて傾斜したスライド部３６よって、錠剤型物品５が第２貫通孔３９へ向けて案内される。したがって、錠剤型物品５は第２貫通孔３９を介して再び容器本体２０の収納部２４内へと直ちに排出され、この場合も、スライド部３６と蓋体１６との間に錠剤型物品５が挟まったり、さらには挟まった錠剤型物品５を砕いてしまったりすることはない。
【００３１】
次に、特に図４および図５を用い、容器１０から錠剤型物品５を取り出す際の作用について説明する。ここで図４および図５は容器１０を示す部分断面図である。
【００３２】
まず、錠剤型物品５を収納した容器１０から蓋体１６を取り外す。次に、図４に示すように、第１貫通孔３８が第２貫通孔３９よりも下方に配置されるように容器１０を傾斜させていく。これにより、錠剤型物品５は第１貫通孔を介して容器１０内から排出される。このとき、錠剤型物品５は、中間連結体３０内において、スライド部３６の傾斜によって第１貫通孔３８へ向けてスムースに寄せ集められる。すなわち、錠剤型物品５は第１貫通孔３８へ向けてスムースに案内されるので、第１貫通孔３８に至るまでの行程において錠剤型物品５が詰まってしまうことを防止することができる。
【００３３】
また、上述したように、第１貫通孔３８の大きさを収納される錠剤型物品５がスムースに通過することができる範囲内で小さめにしておくことにより、第１貫通孔３８から一斉に大量の錠剤型物品５が排出されてしまうことを防止することができ、錠剤型物品５を１つずつ容器から取り出すことができる。これにより、錠剤型物品５を所望量だけ取り出すことが容易となり、錠剤型物品５を取り出し過ぎてしまうことを格段に抑制することができる。
【００３４】
このようにして容器から錠剤型物品５を取り出した後、容器１０を傾斜した状態から元の状態に戻す。
【００３５】
なお、万が一、錠剤型物品５を所望量よりも多く取り出してしまった場合には、図５に示すように、錠剤型物品５を中間連結体３０上に載置または中間連結体上方で離せばよい。この場合、錠剤型物品５は、中間連結体３０内において、スライド部３６の傾斜によって第２貫通孔３９へ向けてスムースに寄せ集められる。すなわち、錠剤型物品５は第２貫通孔３９へ向けてスムースに案内され、これにより、使用者が特別な注意を払ったり、または一度中間連結体３０を取り外す等の煩わしい作業を行ったりする必要もなく、第２貫通孔３９を介して容器本体２０の収納部２４内に錠剤型物品５を容易に回収することができる。
【００３６】
以上のように本実施の形態によれば、容器本体２０と蓋体１６との間に配置された中間連結体３０が、一側から他側に向けて延びるとともに下方に傾斜したスライド部３６を有し、スライド部３６の一側に第１貫通孔３８が設けられるとともに他側に第２貫通孔３９が設けられている。この傾斜したスライド部３６によって、容器本体２０内から第１貫通孔３８へ錠剤型物品５をスムースに案内することができる。また、傾斜したスライド部３６により、容器本体２０外から第２貫通孔３９へ錠剤型物品５をスムースに案内することができる。これらにより、容器本体２０から錠剤型物品５をスムースに取り出すことができるとともに、錠剤型物品５を多く取り出し過ぎた場合には容器本体２０に錠剤型物品５をスムースかつ容易に戻すことができる。また、容器本体２０から中間連結体３０を取り外すことによって、開口２２を介して容器本体２０内に錠剤型物品５を直接入れることもできる。この場合、開口２２は第２貫通孔３９に比べて大形状であることから、大量の錠剤型物品５を容器本体２０内へ迅速かつ容易に収納することができ、容器１０の携帯前に錠剤型物品５を容器本体２０内へ初期充填することが容易となる。
【００３７】
また、本実施の形態によれば、第１貫通孔３８は第２貫通孔３９より小形状となっている。すなわち、第１貫通孔３８は小形状からなるので一斉に大量の錠剤型物品５が排出されることを防止することができ、容器本体２０から定量だけ錠剤型物品５を取り出すことにより適している。また、第２貫通孔３９は大形状からなるので、容器本体２０に錠剤型物品５をよりスムースかつ容易に戻すことができる。
【００３８】
なお、本実施の形態において、容器本体２０の開口周縁部２６と中間連結体３０の嵌合凹部３２とを嵌合させることにより、中間連結体３０を容器本体２０に取り外し自在に取り付ける例を示したが、これに限られない。例えば、中間連結体３０を容器本体２０に別の嵌合方法を用いて取り付けてもよい。また、中間連結体３０と容器本体２０とにネジ山を設け、あるいはいずれか一方にネジ山を設け他方にネジ溝を設け、中間連結体３０を容器本体２０に螺合して取り付けるようにしてもよい。さらに、中間連結体３０と容器本体２０とに取付具をそれぞれ設け、この取付具を介して中間連結体３０を容器本体２０に取り付けるようにしてもよい。すなわち、中間連結体３０を容器本体２０に取り外し自在に取り付けることができる限りにおいて、適宜変更することができる。
【００３９】
また同様に、本実施の形態において、中間連結体３０の環状切り欠き３４と蓋体１６の周縁部１８とを嵌合させることにより、蓋体１６を中間連結体３０に取り外し自在に取り付ける例を示したが、これに限られない。例えば、蓋体１６を中間連結体３０に別の嵌合方法を用いて取り付けてもよい。また、蓋体１６と中間連結体３０とにネジ山を設け、あるいはいずれか一方にネジ山を設け他方にネジ溝を設け、蓋体１６を中間連結体３０に螺合して取り付けるようにしてもよい。さらに、蓋体１６と中間連結体３０とに取付具をそれぞれ設け、この取付具を介して蓋体１６を中間連結体３０に取り付けるようにしてもよい。すなわち、蓋体１６を中間連結体３０に取り外し自在に取り付けることができる限りにおいて、適宜変更することができる。
【００４０】
また、本実施の形態において、中間連結体３０と蓋体１６とが別体からなる例を示したが、これに限られない。図６に示すように、蓋体１６と中間連結体３０とが一体から構成されるようにしてもよい。
【００４１】
図６に示す変形例においては、蓋体１６はヒンジ１９を介して中間連結体３０に揺動自在に連結されている。すなわち、蓋体１６は中間連結体３０に開閉自在に連結されており、これにより、蓋体１６を用いて容器本体２０の開口２２を中間連結体３０を介して塞ぐことができるようになっている。その他の構成は、図１乃至図５を用いて説明した実施の形態と同一であり、同一部材には同一符号を付すとともに重複する詳細な説明は省略する。このような変形例においては、蓋体１６と中間連結体３０とが一体に形成されているので、取り扱いが容易であり、また蓋体１６を紛失してしまうことを防止することができる。
【００４２】
さらに、本実施の形態において、中間連結体３０が略円筒状の外形を有する例を示したが、これに限られず、容器本体２０の開口２２の形状および蓋体１６の形状とともに適宜変更することができる。例えば、中間連結体が四角形筒状からなる連結部を有するようにすることができ、この場合、対角線上に一側と他側とを配置するようにしてもよい。また、本実施の形態によれば、容器本体２０の収納部２４が略壺状からなる外形を有する例を示したが、これに限られず、錠剤型物品５の形状や容器２０の携帯性等を考慮して適宜変更することができる。
【図面の簡単な説明】
【００４３】
【図１】本発明による容器の一実施の形態を示す分解斜視図。
【図２】容器を示す断面図。
【図３】容器を示す平面図。
【図４】容器を示す部分断面図。
【図５】容器を示す部分断面図。
【図６】容器の変形例を示す分解斜視図。
【符号の説明】
【００４４】
５  錠剤型物品
１０  容器
１６  蓋体
２０  容器本体
２２  開口
２６  開口周縁部
３０  中間連結体
３３  連結部
３６  スライド部
３８  第１貫通孔
３９  第２貫通孔
【図１】
2006248566.tif 000003
【図２】
2006248566.tif 000004
【図３】
2006248566.tif 000005
【図４】
2006248566.tif 000006
【図５】
2006248566.tif 000007
【図６】
2006248566.tif 000008